(57)【要約】【課題】比較的厚い記録媒体でも容易に切断することができ、しかも、機構の簡略化、小型化が容易なカッター機構を提供する。【解決手段】カッター機構２９は、プラテン２１上に固定された固定刃３２と、固定刃３２に沿って移動可能なカッターキャリッジ４１と、カッターキャリッジ４１における固定刃３２の上面側で回転自在に支持された回転刃３１と、カッターキャリッジ４１を移動させて固定刃３２上の用紙を回転刃３１によって切断させるインクキャリッジとを備える。カッターキャリッジ４１が、固定刃３２の下面側に配設される案内支持部４２を有する。インクキャリッジが、回転刃３１による用紙の切断箇所Ｓよりも上方に位置する動力接続部６１を介して、カッターキャリッジ４１に移動力を作用させる。案内支持部４２には、回転刃３１による用紙の切断箇所Ｓよりも切断時における移動方向後方側にて固定刃３２の下面に摺接する摺接部４２ａが設けられている。【選択図】      図５
2004358621.tif 000002
【特許請求の範囲】
【請求項１】
長尺の固定刃と、該固定刃に沿って移動可能に支持されたカッターキャリッジと、該カッターキャリッジにおける前記固定刃の上面側で回転自在に支持された回転刃と、前記カッターキャリッジを移動させて前記固定刃上の記録媒体を前記回転刃によって切断させる駆動手段とを備えたカッター機構であって、
前記カッターキャリッジが、前記固定刃の下面側に配設される案内支持部を有すると共に、
前記駆動手段が、前記回転刃による前記記録媒体の切断箇所よりも上方に位置する動力接続部を介して、前記カッターキャリッジの変位を許容した状態で該カッターキャリッジに移動力を作用させており、
前記案内支持部には、前記回転刃による前記記録媒体の切断箇所よりも切断時における移動方向後方側にて前記固定刃の下面に摺接する摺接部が設けられていることを特徴とするカッター機構。
【請求項２】
前記固定刃はプラテン上に固定され、前記駆動手段は、前記プラテンの上方にて前記記録媒体を横切る方向に移動しながら前記記録媒体に画像記録するインクキャリッジを有し、
前記カッターキャリッジは、該カッターキャリッジの変位を許容した状態で前記インクキャリッジに係脱可能な係合手段を備え、該係合手段による前記インクキャリッジとの連結状態にて、このインクキャリッジの移動に伴って移動することを特徴とする請求項１に記載のカッター機構。
【請求項３】
前記案内支持部の摺接部には、前記固定刃との摩擦を低減する摩擦低減手段が設けられていることを特徴とする請求項１又は請求項２に記載のカッター機構。
【発明の詳細な説明】
【０００１】
【発明の属する技術分野】
本発明は、プリンタ等に搭載されて用紙等の記録媒体を切断するカッター機構に関するものである。
【０００２】
【従来の技術】
インクジェットヘッドやサーマルヘッドなどが搭載されたプリンタとしては、印刷後の記録媒体を所定の長さに切断するためのカッター機構が搭載されているものがある。
【０００３】
このカッター機構は、記録媒体である用紙の排出路の下側位置において固定刃が用紙の幅方向に所定長さに亘って取り付けられ、その上側には固定刃に沿って移動可能なカッターキャリッジに円盤状の回転刃が取り付けられた構成となっている。
【０００４】
そして、このカッターキャリッジの移動にともなって固定刃に沿って回転刃が移動することにより、これら固定刃と回転刃とによって用紙が幅方向に切断される。
【０００５】
例えば、回転刃を支持するカッターキャリッジを固定刃に連結保持して固定刃に沿って移動させる構造としたカッター機構が知られている（例えば、特許文献１参照）。
【０００６】
【特許文献１】
特開平７−５２０８５号公報
【０００７】
【発明が解決しようとする課題】
しかしながら、上記特許文献１に記載されたカッター機構は、回転刃を支持するカッターキャリッジを、固定刃を挟んで回転刃の反対側に位置する固定刃の裏側に配置された走行ガイド部と駆動手段とによって移動させる構造である。このような構造では、用紙の切断時にカッターキャリッジを移動させる力によって、該カッターキャリッジに支持された回転刃には、固定刃から離間させる方向の力が作用する。
【０００８】
そこで、比較的厚い用紙を切断する際、カッターキャリッジは強い力で回転刃を固定刃側に押し付けなくてはならず、カッターキャリッジが大型化したり、カッターキャリッジを支持する走行ガイド部とカッターキャリッジとの間の負荷が大きくなり、カッターキャリッジの円滑な移動が困難になる可能性がある。
【０００９】
従って、本発明の目的は上記課題を解消することに係り、比較的厚い記録媒体でも容易に切断することができ、しかも、機構の簡略化、小型化が容易なカッター機構を提供することである。
【００１０】
【課題を解決するための手段】
本発明の上記目的は、長尺の固定刃と、該固定刃に沿って移動可能に支持されたカッターキャリッジと、該カッターキャリッジにおける前記固定刃の上面側で回転自在に支持された回転刃と、前記カッターキャリッジを移動させて前記固定刃上の記録媒体を前記回転刃によって切断させる駆動手段とを備えたカッター機構であって、前記カッターキャリッジが、前記固定刃の下面側に配設される案内支持部を有すると共に、前記駆動手段が、前記回転刃による前記記録媒体の切断箇所よりも上方に位置する動力接続部を介して、前記カッターキャリッジの変位を許容した状態で該カッターキャリッジに移動力を作用させており、前記案内支持部には、前記回転刃による前記記録媒体の切断箇所よりも切断時における移動方向後方側にて前記固定刃の下面に摺接する摺接部が設けられていることを特徴とするカッター機構により達成される。
【００１１】
上記構成のカッター機構によれば、回転刃によって固定刃上の記録媒体を切断する際には、この切断箇所よりも上方に位置する動力接続部を介して、前記カッターキャリッジの変位を許容した状態で該カッターキャリッジに移動力が作用すると共に、該カッターキャリッジの移動方向後方側にて案内支持部の摺接部が固定刃の下面に支持される。
【００１２】
そこで、切断時のカッターキャリッジには、摺接部と固定刃の下面との摺接箇所を支点とした回転力が生じ、この回転力は、回転刃自体を固定刃側に押し下げる力となるので、強い力で回転刃を固定刃側へ押し付ける必要がなく、駆動時の負荷が小さくなると共にカッターキャリッジを移動させる際の負荷も小さくでき、カッターキャリッジの円滑な移動が可能となる。
【００１３】
又、切断時の回転刃には、固定刃側に押し下げる方向の力が作用し、回転刃自体が記録媒体の切断箇所へ移動することができるので、固定刃に対する回転刃の組付け精度を高精度にすることなく用紙を確実に切断することができ、コスト上昇を抑えることができる。
【００１４】
尚、前記固定刃はプラテン上に固定され、前記駆動手段は、前記プラテンの上方にて前記記録媒体を横切る方向に移動しながら前記記録媒体に画像記録するインクキャリッジを有し、前記カッターキャリッジは、該カッターキャリッジの変位を許容した状態で前記インクキャリッジに係脱可能な係合手段を備え、該係合手段による前記インクキャリッジとの連結状態にて、このインクキャリッジの移動に伴って移動する構成が好ましい。
【００１５】
この場合、カッターキャリッジを固定刃に沿って移動させる駆動手段を別個に設ける必要がなく、インクキャリッジの駆動力を利用することができるので、機構の簡略化、小型化を図ることができる。
【００１６】
また、好ましくは前記案内支持部の摺接部には、前記固定刃との摩擦を低減する摩擦低減手段が設けられる。
【００１７】
この場合、回転刃を固定刃側に押し下げる力の反力を受ける案内支持部の摺接部に、ころ等の転動体やフッ素樹脂等の低摩擦材からなる摩擦低減手段を設けることで、カッターキャリッジの更に円滑な移動が可能となる。
【００１８】
【発明の実施の形態】
以下、添付図面に基づいて本発明の一実施形態に係るカッター機構を詳細に説明する。
【００１９】
図１は本発明の一実施形態に係るカッター機構を備えたプリンタの正面側から視た斜視図、図２は図１に示したプリンタの用紙搬送路近傍の構造を示す概略断面図である。
【００２０】
図１及び図２に示すように、プリンタ本体部１は、全体的な外観構造として、基部２の一端部に片持ち部４を介して画像記録部３が片持ち支持された構成となっている。そして、基部２と画像記録部３との間には、背面側から正面側に向かって記録媒体である用紙を搬送する用紙搬送路５が形成されている。
【００２１】
この用紙搬送路５は、正面側開口５ａと、背面側開口５ｂと、側面側開口５ｃと連通している。用紙搬送路５内に挿入された用紙は、背面側開口５ｂ側から正面側開口５ａ側に向かう方向（以下、「用紙搬送方向」と呼ぶ）に搬送される。用紙は、正面側開口５ａ、背面側開口５ｂ及び側面側開口５ｃの何れか一つの開口から用紙搬送路５内に挿入される。すなわち、プリンタ本体部１においては、用紙は、背面側からのみならず、正面側及び側面側からも用紙搬送路５内に挿入可能である。
【００２２】
特に、手差し印刷を行う場合には、プリンタ本体部１は、側面側開口５ｃを介して、用紙搬送方向に垂直な方向から用紙搬送路５へ用紙を挿入することができる。つまり、プリンタ本体部１は、側面側開口５ｃを介して、基部２と画像記録部３との間の用紙搬送面に平行な方向から用紙搬送路５へ用紙が挿入可能に構成されている。
【００２３】
次に、プリンタ本体１の内部構造について説明する。
【００２４】
図２に示すように、背面側開口部５ｂから正面側開口５ａに至る用紙搬送路５の下面は、主に紙案内部であるプラテン２１によって構成されている。プラテン２１は、基部２の上面を構成する板状部材であり、その上面２１ａがほぼ平らに構成されている。プラテン２１と対向する用紙搬送路５の上面側には、上流側から順に用紙ガイド２２、メイン用紙搬送ローラ２３、インクキャリッジ２５、カッター機構２９、及び用紙先端検出器であるＴＯＦレバー３３が配置されている。
【００２５】
用紙ガイド２２は、用紙搬送路５の上流側で、プラテン２１と対向して配置されている。用紙ガイド２２の用紙搬送路５側表面は、凸曲面形状とされ、背面側開口５ｂから給紙される用紙が用紙搬送路５内に円滑に挿入されるように構成されている。背面側開口５ｂから挿入された用紙は、プラテン２１と用紙ガイド２２との間を搬送され、メイン用紙搬送ローラ２３に送られる。
【００２６】
プラテン２１の用紙搬送方向中央部近傍には、用紙送りローラ２４が回転可能に配置されている。この用紙送りローラ２４は、その上方に配置されたメイン用紙搬送ローラ２３と対向しており、図示せぬモータによるメイン用紙搬送ローラ２３の回転により従動する。用紙は、メイン用紙搬送ローラ２３と用紙送りローラ２４との間にニップされて、用紙搬送方向または用紙搬送方向とは逆方向に搬送される。
【００２７】
用紙搬送ローラ２３の近傍のプラテン２１上には、ＢＯＦレバー２７が配置されている。ＢＯＦレバー２７は、用紙を検出するセンサであり、用紙がその上面に搬送されることによって、下方に押し下げられるように構成されている。そして、このＢＯＦレバー２７が用紙によって押し下げられると、制御部へ信号を出力する。
【００２８】
メイン用紙搬送ローラ２３の下流側には、インクキャリッジ２５がプラテン２１に対向して配置されている。インクキャリッジ２５は、片持ち部４の用紙搬送路５側の端面と側面側開口５ｃを結ぶ方向（用紙搬送路方向に垂直な方向、すなわち、用紙幅方向）に沿って長手方向が配置されたガイド軸２６によって摺動自在に保持されている。つまり、インクキャリッジ２５は、このガイド軸２６に沿って用紙搬送路方向に垂直な方向に移動自在に構成されている。
【００２９】
このインクキャリッジ２５は、用紙にインク滴を吐出する複数の開口を有するインクヘッド（不図示）がプラテン２１側に向けて配置されている。インクキャリッジ２５は、ガイド軸２６に沿って移動しながら、インクヘッドの複数の開口からインク滴を吐出することにより、プラテン２１上に配置された用紙上への画像記録を行う。また、このインクキャリッジ２５には、インクヘッドにインクを供給するインクタンク（不図示）が着脱自在に取り付けられている。
【００３０】
インクキャリッジ２５の下流側には、カッター機構２９が配置されている。カッター機構２９は、インクキャリッジ２５と並行に移動可能に支持されたカッターキャリッジ４１と、このカッターキャリッジ４１に設けられた回転軸３０に回転可能に軸支された円盤形状の回転刃３１とを備えている。回転刃３１は、プラテン２１上に配置された固定刃３２の上面側に対向して配置されている。
【００３１】
カッター機構２９は、カッターキャリッジ４１が、回転刃３１を固定刃３２のエッジに押し付けられながら用紙幅方向に移動することにより、固定刃３２上に挿入されたロール紙等の用紙の切断を行う。
【００３２】
カッター機構２９の下流側である正面側開口５ａ近傍には、サブ用紙搬送ロール３４が配置されている。サブ用紙搬送ロール３４は、その回転軸３４ａがプラテン２１に回転可能に軸支されている。
【００３３】
サブ用紙搬送ローラ３４は、図示しない板状のサブ用紙搬送ローラガイドと対向しており、サブ用紙搬送ローラガイドとの間に用紙をニップしながら、用紙を用紙搬送方向または用紙搬送方向とは逆方向に搬送する。用紙は、サブ用紙搬送ローラ３４によって用紙搬送方向に搬送されて、正面側開口５ａより排出される。
【００３４】
図示せぬサブ用紙搬送ローラガイドには、ＴＯＦレバー３３が設置されている。このＴＯＦレバー３３は、用紙を検出するセンサであり、用紙がその下面に搬送されることによって、上方に押し上げられるように構成されている。そして、このＴＯＦレバー３３が用紙によって押し上げられると、制御部へ信号を出力する。
【００３５】
また、プラテン２１は、図３に示すように、レリーズレバー１５を押し下げて開状態にすることにより、プラテン２１に取り付けられた各種部材とともに下方に変位する。プラテン２１の下方への変位により、用紙搬送路５は、上下に広がり、手差しによる用紙の挿入やロール紙の挿入が可能な状態となる。
【００３６】
そして、プラテン２１は、レリーズレバー１５を元の状態に戻し閉状態にすることにより、手差しによる用紙の挿入やロール紙の挿入が禁止される。このように、プラテン２１は、レリーズレバー１５を操作することにより、昇降する構造とされている。
【００３７】
このようなプリンタ本体部１を用いることにより、手差しによる用紙や、図示しないロール紙ホルダから供給されるロール紙に、画像を記録することができる。
【００３８】
次に、本実施形態のカッター機構２９の構造について説明する。
【００３９】
ここで、図４はカッター機構の構造を説明するカッター機構部分の斜視図、図５はカッター機構の側面図、図６はカッター機構の要部断面図、図７はカッター機構の分解斜視図である。
【００４０】
図４乃至図７に示すように、カッター機構２９は、前述した回転刃３１が回転自在に保持されたカッターキャリッジ４１を有している。
【００４１】
このカッターキャリッジ４１は、その下端部に、断面矩形状の案内支持部４２を有している。この案内支持部４２は、プラテン２１上に固定された長尺の固定刃３２の下面側（裏面側）に配設され、該固定刃３２の下面側に形成された摺動溝４３内に摺動可能に収容されている。
【００４２】
そして、摺動溝４３内に収納される案内支持部４２は、用紙切断時におけるカッターキャリッジ４１の進行方向（図５中矢印イ方向）後方側に延在されており、その後端部における上面側が固定刃３２の下面に摺接する摺接部４２ａとされている。これにより、カッターキャリッジ４１は、その案内支持部４２が摺動溝４３内に配設され、固定刃３２に沿って移動自在に保持されている。
【００４３】
回転刃３１は、図６及び図７に示すように、その中心に孔部３１ａを有しており、この孔部３１ａには、保持部材４５が嵌合されている。この保持部材４５は、大径に形成されたフランジ部４５ａと、小径部４５ｂとを有するもので、小径部４５ｂが回転刃３１の孔部３１ａに嵌合されている。
【００４４】
また、この保持部材４５には、Ｏリング４６が取り付けられており、このＯリング４６は、保持部材４５の小径部４５ｂを回転刃３１の孔部３１ａに嵌合させることにより、回転刃３１とフランジ部４５ａとによって挟持されている。
【００４５】
また、保持部４５の小径部４５ｂには、回転刃３１を介して止め輪４７が係合されており、回転刃３１は、この止め輪４７によって保持部材４５に固定されている。
【００４６】
回転刃３１が固定された保持部材４５は、その中心に挿通孔４５ｃを有し、この挿通孔４５ｃに、カッターキャリッジ４１に形成された回転軸３０を挿通するようにカッターキャリッジ４１に装着される。
【００４７】
また、カッターキャリッジ４１と保持部材４５との間には、一対の付勢片４９ａを有するバネ部材４９が配設されており、このバネ部材４９によって保持部材４５に保持された回転刃３１が、固定刃３２のエッジ側に付勢されて当接されている。
【００４８】
また、カッターキャリッジ４１には、カバー５１が取り付けられている。このカバー５１は、回転刃３１をカッターキャリッジ４１に保持させるもので、回転刃３１が固定された保持部材４５を、その挿通孔４５ｃに回転軸３０を挿通させながらカッターキャリッジ４１に装着した状態にて、その側部から取り付けることにより、回転刃３１をカッターキャリッジ４１に保持する。
【００４９】
カッターキャリッジ４１の上部側には、動力接続部６１が設けられている。この動力接続部６１は、本実施形態における駆動手段であるインクキャリッジ２５に係脱可能な係合手段を構成する係合レバー６２を有している。
【００５０】
この係合レバー６２の基端部６３は、水平方向及び鉛直方向のそれぞれの軸線を中心として該係合レバー６２が回動自在にカッターキャリッジ４１に連結されている。
【００５１】
また、係合レバー６２は、カッターキャリッジ４１の側方へ突出する腕部６０を有しており、この腕部６０とカッターキャリッジ４１の上部に形成された係止凸部６４との間には、バネ６５が掛け渡されている。そこで、係合レバー６２の先端部近傍は、該バネ６５により上方及び一側方（図５中、手前）へ付勢されている。更に、係合レバー６２には凸部６２ｄが形成されており、この凸部６２ｄおよび腕部６０がカッターキャリッジ４１に当接することにより、バネ６５による付勢方向への回動が位置規制され、該係合レバー６２は略水平に配置されている。
【００５２】
更に、係合レバー６２の先端側には、先端傾斜面６２ａ及び傾斜側面６２ｂが形成されている。先端傾斜面６２ａは、先端へ向かって次第に下方へ傾斜する傾斜面とされ、傾斜側面６２ｂは、先端へ向かって次第にインクキャリッジ２５側へ傾斜する傾斜面とされている。更に、この係合レバー６２の先端側には、その上面側に係合部６２ｃが形成されている。
【００５３】
インクキャリッジ２５のカッター機構２９側には、係合レバー６２と協働して該インクキャリッジ２５に係脱可能な係合手段を構成する係止部６６が突設されている。この係止部６６には、その下端側に係止凸部６６ａ及び押圧傾斜面６６ｂが形成されている。
【００５４】
そして、これら係合レバー６２及び係止部６６により、本実施形態のカッター機構２９では、カッターキャリッジ４１の上部側に設けられた係合レバー６２が、用紙の切断時にインクキャリッジ２５に連結され、駆動手段であるインクキャリッジ２５が前記カッターキャリッジ４１の変位を許容した状態で該カッターキャリッジ４１に移動力を作用させる。
【００５５】
次に、本実施形態のカッター機構２９の動作を説明する。
【００５６】
図８乃至１３は、カッター機構の動作を説明するカッター機構部分の斜視図及び平面図である。
【００５７】
先ず、インクキャリッジ２５によるロール紙への印字（画像記録）が終了すると、このインクキャリッジ２５は、カッター機構２９のカッターキャリッジ４１が配置されている一端側の待機位置側へ移動する。
【００５８】
これにより、図８及び図９に示すように、インクキャリッジ２５の係止部６６に形成された押圧傾斜面６６ｂが、カッターキャリッジ４１の係合レバー６２の先端傾斜面６２ａに当接し、該係合レバー６２の先端部をバネ６５の付勢力に抗して押し下げる。
【００５９】
さらに、インクキャリッジ２５が待機位置側へ移動し、係止部６６が係合レバー６２の先端傾斜面６２ａを越えて係合部６２ｃに達すると、図１０及び図１１に示すように、係合レバー６２の先端部がバネ６５の付勢力により引き上げられ、係止部６６が係合部６２ｃ内に入り込み、係止凸部６６ａが係合部６２ｃに係合する。
【００６０】
この状態において、インクキャリッジ２５が用紙の幅方向（図１０中、矢印ロ方向）に移動すると、インクキャリッジ２５とともにカッターキャリッジ４１が用紙の幅方向に移動し、回転刃３１が固定刃３２に沿って移動するので、ロール紙が幅方向に切断される。
【００６１】
ここで、本実施形態のカッター機構２９によれば、回転刃３１によって固定刃３２上の記録媒体を切断する際には、この切断箇所Ｓよりも上方に位置する動力接続部６１を介して、カッターキャリッジ４１の変位（図５中、反時計回りの変位）を許容した状態で該カッターキャリッジ４１に移動力を作用させる（図５、参照）。
【００６２】
即ち、係合レバー６２の基端部６３は、水平方向及び鉛直方向のそれぞれの軸線を中心として該係合レバー６２が回動自在に、カッターキャリッジ４１の切断箇所Ｓよりも上方の位置で連結されており、該カッターキャリッジ４１には、係合レバー６２の基端部６３が連結された連結部Ｔを介して、インクキャリッジ２５の引張り力（移動力）Ａが作用する。
【００６３】
また、カッターキャリッジ４１における案内支持部４２の摺接部４２ａは、該カッターキャリッジ４１の移動方向後方側（図５中、右方側）にて固定刃３２の下面に支持される。
【００６４】
そこで、用紙切断時にインクキャリッジ２５の引張り力（移動力）Ａが作用するカッターキャリッジ４１には、図５に示すように、案内支持部４２の摺接部４２ａと固定刃３２の下面との摺接箇所Ｐを支点とした反時計回りの回転力αが生じ、この回転力αは回転刃３１自体を固定刃３２側に押し下げる方向の力Ｃとなるので、強い力で回転刃３１を固定刃３２側へ押し付ける必要がなく、駆動時の負荷が小さくなると共にカッターキャリッジ４１を移動させる際の負荷も小さくでき、カッターキャリッジ４１の円滑な移動が可能となる。
【００６５】
又、用紙切断時の回転刃３１には、固定刃３２側に押し下げる方向の力Ｃが作用し、回転刃３１自体が記録媒体の切断箇所Ｓへ移動することができるので、固定刃３２に対する回転刃３１の組付け精度を高精度にすることなく用紙を確実に切断することができ、コスト上昇を抑えることができる。
【００６６】
尚、カッターキャリッジ４１の回転支点となる摺接箇所Ｐには、回転刃３１自体を固定刃３２側に押し下げる方向の力Ｃに対する反力Ｂが作用するが、該摺接箇所Ｐは切断箇所Ｓから十分離れており、所謂てこ作用によって反力Ｂは力Ｃに比べて小さくできるので、摺接部４２ａは滑らかに摺動することができる。
【００６７】
勿論、この摺接部４２ａに、ころ等の転動体やフッ素樹脂等の低摩擦材からなる摩擦低減手段を設けることで、固定刃３２との摩擦を低減すれば、カッターキャリッジ４１の更に円滑な移動が可能となる。
【００６８】
そして、用紙の切断後、インクキャリッジ２５が切断時とは逆方向に移動すると、インクキャリッジ２５がカッターキャリッジ４１の突出片４１ａに当接し、これにより、カッターキャリッジ４１がインクキャリッジ２５とともに移動し、待機位置に戻される。
【００６９】
また、このとき、インクキャリッジ２５の係止部６６は、カッターキャリッジ４１の係合レバー６２の先端部に形成された傾斜側面６２ｂよりも基端部６３側に移動されて係合部６２ｃから外れる。これにより、係合レバー６２の先端部は、バネ６５の付勢力により略水平な上方へ引き上げられる。
【００７０】
その後、図１２及び図１３に示すように、インクキャリッジ２５が印字のために用紙の幅方向（図１２中、矢印ロ方向）に移動すると、インクキャリッジ２５の係止部６６が、カッターキャリッジ４１の係合レバー６２の傾斜側面６２ｂに当接することにより、係合レバー６２の先端部がバネ６５の付勢力に抗してインクキャリッジ２５から離間する方向へ押し出される。これにより、インクキャリッジ２５は、カッター機構２９との連結が解除され、単独で移動し、用紙への印字を行うことができる（図４、参照）。
【００７１】
尚、本発明のカッター機構は、上記実施形態の構成に限定されるものではなく、本発明の趣旨に基づいて種々の形態を採りうることは勿論である。
【００７２】
例えば、上記実施形態においては、インクキャリッジを駆動手段としてカッターキャリッジに移動力を作用させたが、該カッターキャリッジはガイド軸に保持された状態で駆動手段としての専用モータにより固定刃に沿って移動可能とすることもできる。即ち、本発明の駆動手段は、回転刃による記録媒体の切断箇所よりも上方に位置する動力接続部を介して、カッターキャリッジの変位を許容した状態で該カッターキャリッジに移動力を作用させるものであれば、どのような駆動手段でも良い。
【００７３】
但し、上記実施形態のように、プラテン２１の上方にて用紙を横切る方向に移動しながら用紙に画像記録するインクキャリッジ２５を駆動手段としてカッターキャリッジ４１に移動力を作用させる場合には、カッターキャリッジ４１を移動させる駆動手段を別個に設ける必要がなく、これにより、機構の簡略化及び小型化を図ることができる。
【００７４】
【発明の効果】
以上、説明したように、本発明のカッター機構によれば、回転刃によって固定刃上の記録媒体を切断する際には、この切断箇所よりも上方に位置する動力接続部を介して、前記カッターキャリッジの変位を許容した状態で該カッターキャリッジに移動力が作用すると共に、該カッターキャリッジの移動方向後方側にて案内支持部の摺接部が固定刃の下面に支持される。
【００７５】
そこで、切断時のカッターキャリッジには、摺接部と固定刃の下面との摺接箇所を支点とした回転力が生じ、この回転力は、回転刃自体を固定刃側に押し下げる力となるので、強い力で回転刃を固定刃側へ押し付ける必要がなく、駆動時の負荷が小さくなると共にカッターキャリッジを移動させる際の負荷も小さくでき、カッターキャリッジの円滑な移動が可能となる。
【００７６】
又、切断時の回転刃には、固定刃側に押し下げる方向の力が作用し、回転刃自体が記録媒体の切断箇所へ移動することができるので、固定刃に対する回転刃の組付け精度を高精度にすることなく用紙を確実に切断することができ、コスト上昇を抑えることができる。
【図面の簡単な説明】
【図１】本発明の一実施形態に係るカッター機構を備えたプリンタの正面側から視た斜視図である。
【図２】図１に示したプリンタの用紙搬送路近傍の構造を示す概略断面図である。
【図３】図２に示した用紙搬送路の下面を構成する部材が押し下げられた状態を示す概略断面図である。
【図４】図２に示したカッター機構の構造を説明するための斜視図である。
【図５】図２に示したカッター機構の構造を説明するための側面図である。
【図６】図５に示したカッター機構の構造を説明するための要部断面図である。
【図７】図５に示したカッター機構の構造を説明するための分解斜視図である。
【図８】図４に示したカッター機構の動作を説明するための斜視図である。
【図９】図８に示したカッター機構の平面図である。
【図１０】図４に示したカッター機構の動作を説明するための斜視図である。
【図１１】図１０に示したカッター機構の平面図である。
【図１２】図４に示したカッター機構の動作を説明するための斜視図である。
【図１３】図１２に示したカッター機構の平面図である。
【符号の説明】
２１・・プラテン
２５・・インクキャリッジ（駆動手段）
２９・・カッター機構
３１・・回転刃
３２・・固定刃
４１・・カッターキャリッジ
４２・・案内支持部
４２ａ・・摺接部
６１・・動力接続部
６２・・係合レバー（係合手段）
６６・・係止部（係合手段）
【図１】
2004358621.tif 000003
【図２】
2004358621.tif 000004
【図３】
2004358621.tif 000005
【図４】
2004358621.tif 000006
【図５】
2004358621.tif 000007
【図６】
2004358621.tif 000008
【図７】
2004358621.tif 000009
【図８】
2004358621.tif 000010
【図９】
2004358621.tif 000011
【図１０】
2004358621.tif 000012
【図１１】
2004358621.tif 000013
【図１２】
2004358621.tif 000014
【図１３】
2004358621.tif 000015